(57)【要約】【課題】使用時の塗布操作を軽くするとともに、転写ヘッドの動きを安定させて、転写テープの片浮きを防止することができるようにした塗膜転写具を提供する。【解決手段】前端に転写ローラ８を設けたヘッド部材７を、ケース本体１に横軸回りに回動可能に取り付け、使用時にケース本体１の底面１ａを紙面Ｐに当接させて摺動させると同時に、ヘッド部材７を、紙面Ｐに向けて上方から押圧することにより、横軸回りに回動させて、転写ローラ８が紙面Ｐに当接し、転写テープＴの塗膜が紙面Ｐに転写されるとともに、ヘッド部材７の押圧を中止することにより、転写ローラ８画紙面Ｐから浮上状態に復帰し、転写も中止されるようにする。【選択図】  図１
2008093951.tif 000002
【特許請求の範囲】
【請求項１】
ケース本体内に、供給リールと巻取リールとを設けるとともに、供給リールに巻回した転写テープを、ケース本体に、その前端開口から突出するように取り付けた転写ヘッド部を経て、巻取リールに巻き取るようにした塗膜転写具において、
前端に転写ヘッド部を設けたヘッド部材を、ケース本体に横軸回りに回動可能に取り付け、使用時に、ケース本体の底面を被転写面に当接させて摺動させると同時に、ヘッド部材を、被転写面に向けて上方から押圧することにより、横軸回りに回動させて、転写ヘッド部が被転写面に当接し、転写テープの塗膜が被転写面に転写されるとともに、前記押圧を中止することにより、転写ヘッド部が被転写面から浮上状態に復帰し、転写も中止されるようにしたことを特徴とする塗膜転写具。
【請求項２】
ヘッド部材を、使用時に、ばねの付勢力に抗して下方に向けて回動させることにより、転写ヘッド部を被転写面に当接可能にするとともに、
ヘッド部材の押圧中止時に、ばねの付勢力により、ヘッド部材を上方に向けて回動させることにより、転写ヘッド部が被転写面から浮上状態となるようにしたことを特徴とする請求項１記載の塗膜転写具。
【請求項３】
供給リールと転写ヘッド部との間、および転写ヘッド部と巻取リールとの間に、転写テープを案内するガイドローラを設けたことを特徴とする請求項１または２記載の塗膜転写具。
【請求項４】
ケース本体の前端開口に、供給リールから送出される転写テープを受ける補助ローラを、転写ヘッド部のテープ導入口側に近接させて設けたことを特徴とする請求項１〜３のいずれかに記載の塗膜転写具。
【請求項５】
ケース本体を、手の中に包持可能なマウス型形状としたことを特徴とする請求項１〜４のいずれかに記載の塗膜転写具。
【発明の詳細な説明】
【技術分野】
【０００１】
本発明は、修正塗膜や糊塗膜などを、被転写面に転写するための塗膜転写具に関する。
【背景技術】
【０００２】
塗膜転写具は、ケース本体内に、供給リールと巻取リールとを設け、供給リールに巻回した転写テープを、ケース本体の開口から突出させた転写ヘッド部を経て、巻取リールに巻き取るようにしたものが公知である（例えば、特許文献１，２参照）。
【０００３】
特許文献１，２に記載の塗膜転写具は、ケース本体内に設けた供給リールおよび巻取リールが、被転写面に対して垂直となっている、所謂、縦引き型となっている。
この縦引き型においては、供給リールから送出される転写テープが、被転写面に対して垂直になっている横引き型のものと比較して、転写ヘッド部に至るまでに９０°回転させる必要がなく、使用時に、転写テープを、転写ヘッド部から円滑に送出させることができる。
【０００４】
しかし、横引き型の塗膜転写具は、転写テープを、転写ヘッド部に至るまでに９０°回転させる必要があるため、特に、糊用テープ塗膜の場合には、転写テープに塗布された糊の粘着力により、テープ送出抵抗が大きくなり、使用時、被転写面に対する転写ヘッド部の押付力を強めなければならず、塗布操作が重くなるとともに、転写ヘッドの動きも不安定になり、転写テープの片浮きが生じ易く、転写失敗の要因になるという問題があった。
【特許文献１】特開２０００−２６０１４号公報
【特許文献２】特開２０００−３７９９１号公報
【発明の開示】
【発明が解決しようとする課題】
【０００５】
本発明は、従来の技術の有する上記の問題点に鑑み、使用時の塗布操作を軽くするとともに、転写ヘッドの動きを安定させて、転写テープの片浮きを防止することができるようにした塗膜転写具を提供することを目的とする。
【課題を解決するための手段】
【０００６】
本発明によると、上記課題は次のようにして解決される。
（１）  ケース本体内に、供給リールと巻取リールとを設けるとともに、供給リールに巻回した転写テープを、ケース本体に、その前端開口から突出するように取り付けた転写ヘッド部を経て、巻取リールに巻き取るようにした塗膜転写具において、前端に転写ヘッド部を設けたヘッド部材を、ケース本体に横軸回りに回動可能に取り付け、使用時に、ケース本体の底面を被転写面に当接させて摺動させると同時に、ヘッド部材を、被転写面に向けて上方から押圧することにより、横軸回りに回動させて、転写ヘッド部が被転写面に当接し、転写テープの塗膜が被転写面に転写されるとともに、前記押圧を中止することにより、転写ヘッド部が被転写面から浮上状態に復帰し、転写も中止されるようにする。
【０００７】
（２）  上記（１）項において、ヘッド部材を、使用時に、ばねの付勢力に抗して下方に向けて回動させることにより、転写ヘッド部を被転写面に当接可能にするとともに、ヘッド部材の押圧中止時に、ばねの付勢力により、ヘッド部材を上方に向けて回動させることにより、転写ヘッド部が被転写面から浮上状態となるようにする。
【０００８】
（３）  上記（１）項または（２）項のいずれかにおいて、供給リールと転写ヘッド部との間、および転写ヘッド部と巻取リールとの間に、転写テープを案内するガイドローラを設ける。
【０００９】
（４）  上記（１）〜（３）項のいずれかにおいて、ケース本体の前端開口に、供給リールから送出される転写テープを受ける補助ローラを、転写ヘッド部のテープ導入口側に近接させて設ける。
【００１０】
（５）  上記（１）〜（４）項のいずれかにおいて、ケース本体を、手の中に包持可能なマウス型形状とする。
【発明の効果】
【００１１】
本発明によると、次のような効果が奏せられる。
請求項１記載の発明によると、前端に転写ヘッド部を設けたヘッド部材を、ケース本体に横軸回りに回動可能に取り付け、使用時に、ケース本体の底面を被転写面に当接させて摺動させるようにしてあるため、使用時の塗布操作を軽くすることができるとともに、転写ヘッドの動きを安定させることができる。
また、ヘッド部材を、被転写面に向けて上方から押圧することにより、横軸回りに回動させて、転写ヘッド部が被転写面に当接し、転写テープの塗膜が被転写面に転写されるようにしてあるため、ケース本体の摺動と共に塗布操作を行うことにより、転写テープの片浮きを防止することができる。
【００１２】
請求項２記載の発明によると、ヘッド部材を、使用時に、ばねの付勢力に抗して下方に向けて回動させることにより、転写ヘッド部を被転写面に当接可能にしてあるため、ケース本体の摺動と共に塗布操作を円滑に行うことができる。
また、ヘッド部材の押圧中止時に、ばねの付勢力により、ヘッド部材を上方に向けて回動させることにより、転写ヘッド部が被転写面から浮上状態となるようにしてあるため、誤って他の箇所に塗膜が転写されるのを防止することができる。
【００１３】
請求項３記載の発明によると、供給リールと転写ヘッド部との間、および転写ヘッド部と巻取リールとの間に、転写テープを案内するガイドローラを設けてあるため、転写テープの送出および巻取りを円滑に行うことができる。
【００１４】
請求項４記載の発明によると、ケース本体の開口に、供給リールから送出される転写テープを受ける補助ローラを、転写ヘッド部のテープ導入口側に近接させて設けてあるため、転写テープの供給を、より円滑に行うことができる。
【００１５】
請求項５記載の発明によると、ケース本体を、手の中に包持可能なマウス型形状としてあるため、ケース本体の摺動操作を、より円滑に行うことができる。
【発明を実施するための最良の形態】
【００１６】
以下、本発明の実施形態を、添付図面を参照して説明する。
図１は、本発明の一実施形態における不使用時の塗膜転写具を一部破断して示す斜視図、図２は、図１の一点鎖線円Ａ内におけるヘッド部材の拡大斜視図、図３は、不使用時における塗膜転写具の側面図、図４は、使用時における塗膜転写具の側面図である。
【００１７】
本発明の塗膜転写具は、図１に示すように、合成樹脂によって、手掌の中に包持可能なマウス形状に形成されたケース本体１内に、転写テープＴを巻回した供給リール２が装着される第１歯車３と、この第１歯車３に噛合し、かつ転写後の転写テープＴ'を巻き取る巻取リール４が装着される第２歯車５と、ケース本体１の前端開口６に突出させて設けたヘッド部材とを備えるとともに、このヘッド部材の前端部には、転写ヘッド部としての転写ローラ８が回転自在に軸支されている。
【００１８】
ケース本体１の内底面には、第１支軸９と第２支軸１０とが植設されており、第１支軸９には、供給リール２と共に第１歯車３が水平方向に回転自在に装着され、第２支軸１０には、巻取リール４と共に第２歯車５が水平方向に回転自在に装着されている。
【００１９】
供給リール２と転写ローラ８間には、第１ガイドローラ１１が設けられ、転写ローラ８と巻取リール４間には、第２ガイドローラ１２が設けられている。第１ガイドローラ１１は、供給リール２から送出される転写テープＴを、９０°に回転させて、転写ローラ８の下側に向けて送られるように案内する。一方、第２ガイドローラ１２は、転写ローラ８において上側から反転した転写後の転写テープＴ'を、９０°回転させた後、巻取リール４に向けて送られるように案内する。
【００２０】
ケース本体１の前端開口６には、供給リールから、９０°回転させて送出される転写テープを受ける補助ローラ１３（図２参照）が、ヘッド部材７のテープ導入口側に近接させて設けられている。
【００２１】
ヘッド部材７は、図２に示すように、ケース本体１の前端に、水平軸１４により回動可能に軸支して取り付けられている。水平軸１４には、コイルばね１５が巻装されており、不使用時には、転写ローラ８が、図３に示すように、被転写面である紙面Ｐから浮上しうるように、ヘッド部材７を上向きに付勢している。
【００２２】
次に、本発明における塗膜転写具の操作手順を説明する。
使用開始時には、図４に示すように、ケース本体１を、その底面１ａが被転写面Ｐに対する摺動面となるようにして、手１６で包持し、指先１７でヘッド部材７を、コイルばね１５の付勢力に抗して、紙面Ｐに向けて横軸回りに回動させるように、押圧することにより、転写ローラ８を紙面Ｐ上に当接させる。
次いで、ケース本体１の底面を摺動面として、ケース本体１を、塗膜の塗布方向である後方に向けて水平方向に摺動させることにより、転写テープＴの塗膜を、紙面Ｐ上に転写することができる。
また、ヘッド部材７の押圧を中止することにより、転写ローラ８が紙面Ｐから浮上状態に復帰し、転写を中止することができる。
【００２３】
なお、上記実施形態において、転写ローラ８、ガイドローラ１１，１２、および補助ローラ１３は、シリコンローラにより形成されており、各ローラの転写テープＴに対する易滑性の向上を図っている。
【図面の簡単な説明】
【００２４】
【図１】本発明の一実施形態における不使用時の塗膜転写具を一部破断して示す斜視図である。
【図２】図１の一点鎖線円内におけるヘッド部材の拡大斜視図である。
【図３】不使用時における塗膜転写具の側面図である。
【図４】使用時における塗膜転写具の側面図である。
【符号の説明】
【００２５】
１    ケース本体
１ａ  底面
２    供給リール
３    第１歯車
４    第２歯車
５    巻取リール
６    前端開口
７    ヘッド部材
８    転写ローラ（転写ヘッド部）
９    第１支軸
１０  第２支軸
１１  第１ガイドローラ
１２  第２ガイドローラ
１３  補助ローラ
１４  水平軸
１５  コイルばね
１６  手
１７  指先
Ｔ    転写テープ
Ｔ'  転写後の転写テープ
Ｐ    紙面（被転写面）
【図１】
2008093951.tif 000003
【図２】
2008093951.tif 000004
【図３】
2008093951.tif 000005
【図４】
2008093951.tif 000006